(57)【要約】【課題】  段ボール等の紙製材料を用いた紙製コンテナにおいて、荷物の出し入れが容易に行えると共に、荷物を収容させない状態においては、この紙製コンテナの容積を小さくして、紙製コンテナが嵩張らないようにすることが簡単に行えるようにする。【解決手段】  底板１１の周囲にフラップ１２が設けられた受け台１０と、この受け台のフラップ内において上記の底板の上に設けられる胴枠２０とが紙製材料で構成された紙製コンテナにおいて、上記の胴枠を複数枚の胴板２１で構成し、各胴板における一辺２１ａの両側部にそれぞれ対向する辺２１ｂに向かう嵌込用溝２２を設け、各胴板に設けられた嵌込用溝相互を嵌め合わせて胴枠を形成するようにした。【選択図】  図７
2007008497.tif 000002
【特許請求の範囲】
【請求項１】
底板の周囲にフラップが設けられた受け台と、この受け台のフラップ内において上記の底板の上に設けられる胴枠とが紙製材料で構成された紙製コンテナにおいて、上記の胴枠が複数枚の胴板で構成され、各胴板における一辺の両側部にそれぞれ対向する辺に向かう嵌込用溝が設けられ、各胴板に設けられた嵌込用溝相互を嵌め合わせて胴枠が形成されることを特徴とする紙製コンテナ。
【請求項２】
請求項１に記載の紙製コンテナにおいて、胴枠を形成する上記の各胴板に、上記の受け台のフラップとの間に挟み込むスペーサーが取り付けられていることを特徴とする紙製コンテナ。
【請求項３】
請求項１又は請求項２に記載した紙製コンテナが、上記の胴枠の上に被せる紙製材料で構成された蓋材を有し、この蓋材は蓋板の周囲にフラップが設けられていることを特徴とする紙製コンテナ。
【請求項４】
請求項３に記載した紙製コンテナにおいて、上記の蓋材が前記の受け台と同じであり、胴枠を形成する上記の各胴板に、上記の蓋材のフラップとの間に挟み込むスペーサーが取り付けられていることを特徴とする紙製コンテナ。
【発明の詳細な説明】
【技術分野】
【０００１】
この発明は、荷物を収容させて運搬するのに使用する紙製コンテナに係り、特に、底板の周囲にフラップが設けられた受け台と、この受け台のフラップ内において上記の底板の上に設けられる胴枠とが紙製材料で構成された紙製コンテナにおいて、荷物の出し入れが容易に行えると共に、荷物を収容させない状態においては、この紙製コンテナの容積を小さくして、紙製コンテナが嵩張らないようにすることが簡単に行えるようにした点に特徴を有するものである。
【背景技術】
【０００２】
荷物を収容させて運搬させるのに使用するコンテナとしては、金属製のものやプラスチック製のもの等、様々なコンテナが使用されている。
【０００３】
ここで、金属製やプラスチック製のコンテナの場合、製造コストが高くつくと共に、重量が大きくてその取扱いが困難であり、また使用後における廃棄処理等も問題になっている。さらに、上記のようなコンテナの場合、荷物を収容させない状態においてもその体積が変化しないため、その保管時や輸送時に大きなスペースが必要となり、これらのコストも高くつく等の問題があった。
【０００４】
このため、近年においては、段ボールや合紙等の各種の紙製材料を用いた紙製コンテナが検討されるようになった。
【０００５】
そして、このような紙製コンテナの一種として、荷物を載置させる受け台と、この受け台の周囲に設ける胴枠と、この胴枠の上に被せる蓋材とを分離可能に設けると共に、上記の胴枠の対向する面に折り目等の枢着ラインを設け、この枢着ラインによって胴枠をガゼット状に折り畳むようにしたものが提案されている（例えば、特許文献１参照。）。
【０００６】
しかし、上記の紙製コンテナの場合、受け台の周囲にファスナーやアングル等で胴枠を取り付けるようにしているため、コストが高くつくと共に、胴枠の取り付け及び取り外しの作業が非常に面倒であり、荷物を積載させたり、積載させた荷物を取り出したりするのに多くの時間が必要となり、また荷物を収容させない状態において、胴枠を折り畳む場合にも、上記のように受け台から胴枠を取り外す必要があり、作業性が非常に悪いという問題があった。
【０００７】
また、上記の紙製コンテナにおいては、荷物を積載させたり、積載させた荷物を取り出したりする作業を容易にするため、上記の胴枠の一つの面に横方向の枢着ラインを設けて扉を形成することを示している。しかし、このように扉を形成する場合、勝手に扉が開かないようにするための手段などが必要になって、さらに製造コストが高くつく等の問題があった。
【特許文献１】特開平１０−７１４４号公報
【発明の開示】
【発明が解決しようとする課題】
【０００８】
この発明は、荷物を収容させて運搬するのに使用するコンテナにおける上記のような様々な問題を解決することを課題とするものであり、特に、段ボールや合紙等の各種の紙製材料を用いた紙製コンテナにおいて、荷物の出し入れが容易に行えると共に、荷物を収容させない状態においては、この紙製コンテナの容積を小さくして、紙製コンテナが嵩張らないようにすることが簡単に行え、保管時や輸送時に大きなスペースを必要とせずに、これらのコストを低減できるようにすることを課題とするものである。
【課題を解決するための手段】
【０００９】
この発明においては、上記のような課題を解決するため、底板の周囲にフラップが設けられた受け台と、この受け台のフラップ内において上記の底板の上に設けられる胴枠とが紙製材料で構成された紙製コンテナにおいて、上記の胴枠を複数枚の胴板で構成し、各胴板における一辺の両側部にそれぞれ対向する辺に向かう嵌込用溝を設け、各胴板に設けられた嵌込用溝相互を嵌め合わせて胴枠を形成するようにした。
【００１０】
ここで、この発明における紙製コンテナにおいては、胴枠を形成する上記の各胴板に、上記の受け台のフラップとの間に挟み込むスペーサーを取り付けることが好ましい。
【００１１】
また、この発明の紙製コンテナにおいては、上記の胴枠の上に被せる紙製材料で構成された蓋材を設けることができる。そして、この蓋材としては、蓋板の周囲にフラップが設けられたものを用いることができ、この蓋材として、前記の受け台と同じものを用いることが好ましい。なお、このような蓋材を用いる場合には、胴枠を形成する上記の各胴板に、上記の蓋材のフラップとの間に挟み込むスペーサーを取り付けることが好ましい。
【発明の効果】
【００１２】
この発明における紙製コンテナにおいては、上記のように胴枠を構成する各胴板における一辺の両側部にそれぞれ対向する辺に向かう嵌込用溝を設け、各胴板に設けられた嵌込用溝相互を嵌め合わせて胴枠を形成し、この胴枠を受け台のフラップ内において底板の上に設けるようにしたため、受け台の周囲にファスナーやアングル等で胴枠を取り付けるようにした従来の紙製コンテナに比べて、製造コストが低減されると共に、コンテナの組み立てや分解が容易に行えるようになる。このため、荷物を収容させない場合において、上記の胴枠を各胴板に分離させて、この紙製コンテナの容積を小さくすることも簡単に行え、この紙製コンテナが嵩張らないようにして保管したり輸送したりすることが容易に行えるようになる。
【００１３】
また、上記のように胴板に設けられた嵌込用溝相互を嵌め合わせて胴枠を形成するようにした場合、胴枠を構成する一部の胴板だけを簡単に取り外すことができ、このように胴板を外した面を通して、受け台上に荷物を積載させたり、積載された荷物を取り出したりすることができ、荷物の出し入れが容易に行えるようになる。
【００１４】
また、この発明の紙製コンテナにおいて、胴枠を形成する上記の各胴板に、受け台のフラップとの間に挟み込むスペーサーを取り付けると、胴枠を組み立てて受け台のフラップ内にセットした場合、各胴板に取り付けられたスペーサーが胴板と受け台のフラップとの間に挟み込まれ、このスペーサーにより、胴枠が受け台内においてがたつかないようにして保持されるようになる。
【００１５】
また、この発明の紙製コンテナにおいて、胴枠の上に被せる蓋材として、蓋板の周囲にフラップが設けられられたものを用いる場合に、上記の受け台と同じものを使用すると、紙製コンテナにおける部品の種類が少なくなって、製造コストが低減される。また、胴枠を形成する上記の各胴板に、この蓋材のフラップとの間に挟み込むスペーサーを取り付けると、胴枠の上に蓋材を被せた場合に、各胴板に取り付けられたスペーサーが胴板と蓋材のフラップとの間に挟み込まれ、このスペーサーにより蓋材ががたつかないようにして胴枠の上に保持されるようになる。
【発明を実施するための最良の形態】
【００１６】
以下、この発明の実施形態に係る紙製コンテナを添付図面に基づいて具体的に説明する。なお、この発明に係る紙製コンテナは下記の実施形態に示したものに限定されず、発明の要旨を変更しない範囲において、適宜変更して実施できるものである。
【００１７】
この実施形態における紙製コンテナにおいては、受け台１０と蓋材３０とに同じものを用いるようにし、図１に示すように、四角形状になった底板１１（蓋板３１）の周囲に四角環状になったフラップ１２（フラップ３２）が形成されたものを用いている。
【００１８】
また、上記の受け台１０のフラップ１２内において底板１１の上に設ける胴枠２０を形成するにあたっては、胴板２１として、図２に示すように、四角形状になった板材の一辺２１ａの両側部からそれぞれ対向する辺２１ｂに向かう上下方向に伸びた嵌込用溝２２が中央部付近まで設けられると共に、この嵌込用溝２２が設けられた辺２１ａ及び対向する辺２１ｂにそれぞれ、上記の受け台１０におけるフラップ１２や蓋材３０におけるフラップ３２との間に挟み込むスペーサー２３が所要間隔を介して複数（図に示す例ではそれぞれの辺に２つ）設けられたものを用いている。
【００１９】
そして、図３に示すように、各胴板２１に設けられたスペーサー２３が外周面側に位置するようにして、それぞれの胴板２１に設けられた嵌込用溝２２同士を嵌め合わせるようにして胴板２１相互を連結させ、このようにして４枚の胴板２１を順々に連結させて、図４に示すような四角環状になった胴枠２０を形成するようにしている。
【００２０】
ここで、この発明における紙製コンテナにおいて、上記のような受け台１０や蓋材３０や胴枠２０を形成するのに使用する紙製材料としては、公知のものを用いることができ、例えば、段ボールや、合紙や、パルプにバインダーを加えて結着させると共に圧縮成形させたもの等を用いることができる。
【００２１】
ここで、上記の実施形態における紙製コンテナに荷物１を積載させるにあたっては、図５（Ａ），（Ｂ）に示すように、上記の胴板２１を３枚だけ連結させて１枚の胴板２１を外した状態にし、四角環状になった胴枠２０の一つの面を開放させた状態で、各胴板２１に設けられたスペーサー２３を受け台１０のフラップ１２との間に挟み込むようにして、この胴枠２０を上記の受け台１０のフラップ１２内において底板１１の上にセットする。
【００２２】
そして、上記のように胴枠２０の開放された面から荷物１を胴枠２０内における受け台１０の上に積載した後、図６に示すように、残りの一つの胴板２１を上記のようにして連結させて、四角環状になった胴枠２０内の荷物１を収容させる。
【００２３】
その後、図７に示すように、各胴板２１に設けられたスペーサー２３を蓋材３０のフラップ３２との間に挟み込むようにして、上記の蓋材３０を胴枠２０の上に被せるようにして保持させる。また、必要に応じて、上記の紙製コンテナにベルト（図示せず）を巻き付け、受け台１０と胴枠２０と蓋材３０とを固定させるようにする。
【００２４】
一方、上記のように積載させた荷物１を紙製コンテナから取り出す場合には、上記の蓋材３０を胴枠２０から取り外すと共に、この胴枠２０を受け台１０から取り外して、荷物１全部を受け台１０から取り出すようにする他、荷物１の一部を取り出すような場合には、胴枠２０における一つの胴板２１だけを取り外し、前記のように胴枠２０の一つの面を開放させ、この開放された面から荷物１を取り出すようにすることもできる。
【００２５】
そして、紙製コンテナから全ての荷物１を取り出した後は、上記の胴枠２０を各胴板２１に分離させ、図８に示すように、上記の受け台１０と蓋材３０とを合わせた空間部Ｓ内に、このように分離された各胴板２１を収容させるようにする。このようにすると、この紙製コンテナの体積が非常に小さくなり、紙製コンテナが嵩張らないようにして保管したり輸送したりすることができる。また、上記のように受け台１０と蓋材３０とを合わせた空間部Ｓ内に各胴板２１を収容させた後、受け台１０と蓋材３０とを合わせた上からベルト（図示せず）を巻き付けて、受け台１０と蓋材３０とを固定させ、受け台１０と蓋材３０と胴板２１とが分散するのを防止することが好ましい。
【００２６】
なお、この実施形態における紙製コンテナにおいては、受け台１０と蓋材３０とに同じものを用いるようにしたが、受け台１０と蓋材３０とを異ならせることも可能である。
【００２７】
また、フォークリフトを用いてこの紙製コンテナを搬送させる場合には、図９に示すように、上記の受け台１０における底板１１の下面に所要間隔を介するようにして複数の桁材１３を取り付け、この底板１１の下にフォーク差込口１４を形成することもできる。
【００２８】
また、上記の紙製コンテナに小さな荷物１を複数積載させる場合には、図１０に示すような複数枚の仕切り板４１を取り外し可能にして縦横に取り付けた仕切り部材４０を、受け台１０に設けられた上記の胴枠２０内にセットしたり、さらに図１１に示すように、上記の仕切り部材４０を平板からなる棚板４２を介して積層させた状態で、受け台１０に設けられた胴枠２０内にセットすることもできる。なお、上記の仕切り板４１や棚板４２も、上記の受け台１０等と同じ紙製材料で構成することが好ましい。また、紙製コンテナから荷物１を取り出した後は、上記の仕切り部材４０を複数の仕切り板４１に分離させ、上記の胴板２１や棚板４２と一緒にして、上記の受け台１０と蓋材３０とを合わせた空間部Ｓ内に収容させることができる。
【００２９】
また、上記の胴板２１として、図１２（Ａ），（Ｂ）に示すように、その両側部に設けられた各嵌込用溝２２より側方の位置において、それぞれ上下方向に伸びた補強材２４を、一方の側部においてはスペーサー２３が設けられ面に、他方の側部においてはスペーサー２３が設けられ面と反対側の面に取り付けた２種類の胴板２１Ａ，２１Ｂを用いることができる。
【００３０】
そして、このように補強材２４が設けられた２種類の胴板２１Ａ，２１Ｂを用い、前記のようにスペーサー２３が外周面側に位置するようにして、上記の２種類の胴板２１Ａ，２１Ｂに設けられた嵌込用溝２２同士を順々に嵌め合わせ、２種類の胴板２１Ａ，２１Ｂを交互にそれぞれ２枚連結させて、四角環状になった胴枠２０を形成した場合には、図１３に示すように、この胴枠２０の四隅に上記の各補強材２４が位置するようになり、この胴枠２０における四隅の強度がさらに向上されるようになる。
【図面の簡単な説明】
【００３１】
【図１】この発明の実施形態に係る紙製コンテナに使用する受け台及び蓋材を示した概略斜視図である。
【図２】上記の実施形態に係る紙製コンテナにおいて、胴枠を組み立てるのに使用する胴板を示した斜視図である。
【図３】上記の実施形態に係る紙製コンテナにおいて、上記の胴板相互を連結させる状態を示した概略斜視図である。
【図４】上記の実施形態に係る紙製コンテナにおいて、４枚の胴板を連結させて組み立てた胴枠の概略平面図である。
【図５】上記の実施形態に係る紙製コンテナにおいて、３枚の胴板を連結させて一面を開放させた胴枠を受け台にセットした状態を示した概略正面図及び概略平面図である。
【図６】上記の実施形態に係る紙製コンテナにおいて、受け台にセットされた胴枠内に荷物を収容させた状態を示した概略平面図である。
【図７】上記の実施形態に係る紙製コンテナにおいて、受け台にセットされた胴枠の上に蓋材を取り付けた状態を示した概略正面図である。
【図８】上記の実施形態に係る紙製コンテナにおいて、受け台と蓋材とを合わせた空間部内に胴板を収容させる状態を示した概略正面図である。
【図９】上記の実施形態に係る紙製コンテナにおいて、受け台の変更例を示した概略斜視図である。
【図１０】上記の実施形態に係る紙製コンテナにおいて、受け台にセットされた胴枠内に設ける仕切り部材の一例を示した概略斜視図である。
【図１１】上記の実施形態に係る紙製コンテナにおいて、上記の仕切り部材を平板からなる棚板を介して積層させた状態を示した概略正面図である。
【図１２】上記の実施形態に係る紙製コンテナにおいて、胴枠を組み立てるのに使用する胴板に補強材を取り付けた変更例に係る２種類の胴板を示した斜視図である。
【図１３】図１２に示した２種類の胴板を用いて組み立てた胴枠の概略平面図である。
【符号の説明】
【００３２】
１  荷物
１０  受け台
１１  底板
１２  フラップ
１３  桁材
１４  フォーク差込口
２０  胴枠
２１，２１Ａ，２１Ｂ  胴板
２１ａ，２１ｂ  胴板の辺
２２  嵌込用溝
２３  スペーサー
２４  補強材
３０  蓋材
３１  蓋板
３２  フラップ
４０  仕切り部材
４１  仕切り板
４２  棚板
Ｓ  受け台と蓋材とを合わせた空間部
【図１】
2007008497.tif 000003
【図２】
2007008497.tif 000004
【図３】
2007008497.tif 000005
【図４】
2007008497.tif 000006
【図５】
2007008497.tif 000007
【図６】
2007008497.tif 000008
【図７】
2007008497.tif 000009
【図８】
2007008497.tif 000010
【図９】
2007008497.tif 000011
【図１０】
2007008497.tif 000012
【図１１】
2007008497.tif 000013
【図１２】
2007008497.tif 000014
【図１３】
2007008497.tif 000015